(57)【要約】【課題】  使用中に引っ繰り返り難く、マーカーとしての機能が十分に発揮され、しかしながら、不使用中では平面的構造の為に保持し易く、更には手を傷付けたり、又、被服を損傷したりする恐れが非常に小さいマーカーを提供することである。【解決手段】  ベース体と、倒立体と、前記ベース体と前記倒立体とを連結する連結手段とを具備するマーカーであって、  前記連結手段は、    前記ベース体及び前記倒立体の中のどちらか一方に設けられた凹部と、    前記凹部に嵌合する前記ベース体及び前記倒立体の中のどちらか他方に設けられた凸部と、    前記凹部が形成された前記ベース体または前記倒立体、及び前記凸部に形成された軸挿通孔と、    前記軸挿通孔に挿通された前記倒立体を軸支する回動用軸とを具備し、  前記倒立体を９０°以内の開角度でしか起こせない開角度規制機構が設けられてなる。【選択図】  図２
2007021182.tif 000002
【特許請求の範囲】
【請求項１】
ベース体と、倒立体と、前記ベース体と前記倒立体とを連結する連結手段とを具備するマーカーであって、
前記連結手段は、
前記ベース体及び前記倒立体の中のどちらか一方に設けられた凹部と、
前記凹部に嵌合する前記ベース体及び前記倒立体の中のどちらか他方に設けられた凸部と、
前記凹部が形成された前記ベース体または前記倒立体、及び前記凸部に形成された軸挿通孔と、
前記軸挿通孔に挿通された前記倒立体を軸支する回動用軸
とを具備し、
前記倒立体を９０°以内の開角度でしか起こせない開角度規制機構が設けられてなる
ことを特徴とするマーカー。
【請求項２】
開角度規制機構は、倒立体を最大角度の開角度で開いた場合、該倒立体の一部が前記ベース体に当接し、それ以上の角度では該倒立体が起こせないよう構成されてなる
ことを特徴とする請求項１のマーカー。
【請求項３】
凹部が形成されたベース体または倒立体の該凹部の外側が欠かれて凹状に形成されてなることを特徴とする請求項１又は請求項２のマーカー。
【請求項４】
倒立体よりベース体の方が重いことを特徴とする請求項１〜請求項３いずれかのマーカー。
【請求項５】
ベース体の厚さが倒立体の厚さより厚いことを特徴とする請求項１〜請求項４いずれかのマーカー。
【請求項６】
ベース体は比重が２以上の金属で出来ていることを特徴とする請求項１〜請求項５いずれかのマーカー。
【発明の詳細な説明】
【技術分野】
【０００１】
本発明は、例えばゴルフボール用のマーカーに関する。
【背景技術】
【０００２】
ゴルフにおいてボールがグリーンに位置した際、この位置をマークしておく為、各種のマーカーが提案されている。
【０００３】
例えば、図６に示される如く、マーカー本体に小球体を転動自在に収納する空間部が形成され、この空間部の球体転動面における小球体の静止位置によって前記マーカー本体の傾き方向および傾き度合いが示されるゴルフ用ボールマーカーが提案（特開２００１−２８６５９０）されている。
【０００４】
又、図７に示される如く、平板部と、前記平板部に垂設された軸部と、前記平板部の反軸部側に位置し、前記軸部の先端が嵌着可能な嵌着孔とを具備することを特徴とするマーカーが提案（特開２００３−３０５１４４）されている。
【０００５】
又、磁性を有するボールマーカーが提案（特開２００４−３５７９２５）されている。
【０００６】
又、図８に示される如く、グリーン面とほぼ面一となる基盤部と、この基盤部の下面側から垂下し前記グリーン面に埋め込み可能な埋め込み部とを備えたゴルフボール用マーカーにおいて、前記基盤部の上面側には、この基盤部に対して起立状態とできる起立部が備えられることを特徴とするゴルフボール用マーカーが提案（特許第３１０１２４９号）されている。
【０００７】
又、図９に示される如く、グリーン面とほぼ面一となる金属材料から形成される円盤状の基盤部と、この基盤部とは別体で形成されると共に前記基盤部の上面側に前記グリーン面から起立状態とできる金属材料から形成される円盤状の起立部とを備え、前記起立部は前記基盤部に対してヒンジ部を介して連結されるとともに、前記基盤部に覆いつく閉止位置と前記基盤部から起立した起立位置との間を回動可能とされたゴルフボール用マーカーであって、前記基盤部と前記起立部とのうちのいずれか一方は、他方よりも一回り大きい円盤状に形成されていると共に、前記起立部が前記閉止位置にあるときに他方を収納可能な凹部が設けられていることを特徴とするゴルフボール用マーカーが提案（特許第３１１８２２２号）されている。
【特許文献１】特開２００１−２８６５９０
【特許文献２】特開２００３−３０５１４４
【特許文献３】特開２００４−３５７９２５
【特許文献４】特許第３１０１２４９号
【特許文献５】特許第３１１８２２２号
【発明の開示】
【発明が解決しようとする課題】
【０００８】
さて、上記特許文献１，２，４のマーカーは、対応する図からも判る通り、グリーン面に埋め込まれることになる軸Ａ，Ｂ，Ｃを有している。すなわち、平板と、平板に垂直な軸Ａ，Ｂ，Ｃとを備えるものである。
【０００９】
ところで、この種のマーカーは、ゴルフに際して用いられる。従って、例えばポケット等に入れられることが多い。
【００１０】
しかしながら、このような立体構造のマーカーをポケットに入れてゴルフをプレーするのは、非常に厄介である。又、ポケットに入れることなく、例えば磁石で何かに保持するにしても、やはり、飛び出している軸Ａ，Ｂ，Ｃの部分は厄介なものである。従って、好ましいものとは言えない。
【００１１】
一方、上記特許文献１，２，４の如きのマーカーと異なり、特許文献５のマーカーは、軸を持たない。従って、保持が非常に容易である。
【００１２】
ところが、特許文献５の如きのマーカーには、次のような問題が有ることが判って来た。
【００１３】
先ず、第１に、倒立体Ｄが９０°以上の開角度で開くようになっている。そして、例えば１００°と言った角度で開いていると、重心がベース体Ｅの上には無く、外れた位置に在ることから、非常に不安定である。特に、グリーンは芝生であることから、この種のマーカーは引っ繰り返り易い。又、ゴルフは風が強い時でも行われる。このような場合、倒立体Ｄの開角度が９０°以下、例えば６０°のような場合でも、風が倒立体Ｄに吹き当たることから、風の力でマーカーは引っ繰り返り易い。引っ繰り返ると、倒立体Ｄはグリーン上に立っているとは言い難く、そうするとマーカーとしての機能が大きく失われる。尚、このような致命的欠点を克服する為、従来にあっては、グリーン面に埋め込まれることになる軸Ａ，Ｂ，Ｃが設けられていた訳である。しかしながら、軸Ａ，Ｂ，Ｃを備えたマーカーは、上述の如き、これ、また、致命的な欠点が有る。
【００１４】
第２に、ヒンジ部Ｆが設けられているから、倒立体Ｄの開閉が可能になるものの、ヒンジ部Ｆが飛び出していることから、これが、また、問題になる。すなわち、この種のマーカーは、ゴルフに際して、手に持って、グリーン上に置かれたり、又、取り除かれる。さて、このような時に、飛び出したヒンジ部Ｆが有ると、場合によっては、ヒンジ部Ｆによって手に怪我をすることも有る。ポケットに入れている時にあっては、衣類の生地に引っ掛かり、生地を損傷させる恐れが有る。
【００１５】
このような観点から、特許文献５のマーカーも、決して、満足できるものでは無い。
【００１６】
従って、本発明が解決しようとする第１の課題は、使用中に引っ繰り返り難く、マーカーとしての機能が十分に発揮され、しかしながら、不使用中では平面的構造の為に保持し易く、更には手を傷付けたり、又、被服を損瑕したりする恐れが非常に小さいマーカーを提供することである。
【００１７】
本発明が解決しようとする第２の課題は、上記特長のマーカーを低廉なコストで提供することである。
【課題を解決するための手段】
【００１８】
前記第１の課題は、ベース体と、倒立体と、前記ベース体と前記倒立体とを連結する連結手段とを具備するマーカーであって、
前記連結手段は、
前記ベース体及び前記倒立体の中のどちらか一方に設けられた凹部と、
前記凹部に嵌合する前記ベース体及び前記倒立体の中のどちらか他方に設けられた凸部と、
前記凹部が形成された前記ベース体または前記倒立体、及び前記凸部に形成された軸挿通孔と、
前記軸挿通孔に挿通された前記倒立体を軸支する回動用軸
とを具備し、
前記倒立体を９０°以内の開角度でしか起こせない開角度規制機構が設けられてなる
ことを特徴とするマーカーによって解決される。
【００１９】
特に、ベース体と、倒立体と、前記ベース体と前記倒立体とを連結する連結手段とを具備するマーカーであって、
前記連結手段は、
前記ベース体及び前記倒立体の中のどちらか一方に設けられた凹部と、
前記凹部に嵌合する前記ベース体及び前記倒立体の中のどちらか他方に設けられた凸部と、
前記凹部が形成された前記ベース体または前記倒立体、及び前記凸部に形成された軸挿通孔と、
前記軸挿通孔に挿通された前記倒立体を軸支する回動用軸
とを具備し、
前記倒立体を９０°以内の開角度でしか起こせない開角度規制機構が設けられてなり、
前記開角度規制機構は、倒立体を最大角度の開角度で開いた場合、該倒立体の一部が前記ベース体に当接し、それ以上の角度では該倒立体が起こせないよう構成されてなる
ことを特徴とするマーカーによって解決される。
【００２０】
又、前記第１及び第２の課題は、ベース体と、倒立体と、前記ベース体と前記倒立体とを連結する連結手段とを具備するマーカーであって、
前記連結手段は、
前記ベース体及び前記倒立体の中のどちらか一方に設けられた凹部と、
前記凹部に嵌合する前記ベース体及び前記倒立体の中のどちらか他方に設けられた凸部と、
前記凹部が形成された前記ベース体または前記倒立体、及び前記凸部に形成された軸挿通孔と、
前記軸挿通孔に挿通された前記倒立体を軸支する回動用軸
とを具備し、
前記倒立体を９０°以内の開角度でしか起こせない開角度規制機構が設けられてなり、
前記凹部が形成されたベース体または倒立体の該凹部の外側が欠かれて凹状に形成されてなる
ことを特徴とするマーカーによって解決される。
【００２１】
特に、ベース体と、倒立体と、前記ベース体と前記倒立体とを連結する連結手段とを具備するマーカーであって、
前記連結手段は、
前記ベース体及び前記倒立体の中のどちらか一方に設けられた凹部と、
前記凹部に嵌合する前記ベース体及び前記倒立体の中のどちらか他方に設けられた凸部と、
前記凹部が形成された前記ベース体または前記倒立体、及び前記凸部に形成された軸挿通孔と、
前記軸挿通孔に挿通された前記倒立体を軸支する回動用軸
とを具備し、
前記倒立体を９０°以内の開角度でしか起こせない開角度規制機構が設けられてなり、
前記開角度規制機構は、倒立体を最大角度の開角度で開いた場合、該倒立体の一部が前記ベース体に当接し、それ以上の角度では該倒立体が起こせないよう構成されてなり、
前記凹部が形成されたベース体または倒立体の該凹部の外側が欠かれて凹状に形成されてなる
ことを特徴とするマーカーによって解決される。
【００２２】
本発明にあっては、特に、倒立体よりベース体の方を重く構成している。これは、ベース体をより重く構成しておくことによって、倒立体を起こした場合でも、それだけ安定性に優れている。従って、倒れ難いから、マーカーとしての機能に優れている。
【００２３】
ベース体を重くする手法としては、一つは、ベース体の方をより大きな比重の材料で構成することが考えられる。すなわち、ベース体と倒立体との厚みが同じでも、ベース体をより比重が大きな素材で構成しておけば、大きさが同じでも、ベース体の方が重いから、安定性に優れる。
【００２４】
しかしながら、ベース体と倒立体との面積・厚さが同じであると、どちらがベース体かが判り難い。場合によっては、気付かず、軽い倒立体をグリーン上に置き、引っ繰り返ってしまうことも起きる。
【００２５】
そこで、ベース体の厚さを厚くし、これで以って、ベース体を重くする手法の採用が好ましい。すなわち、本発明では、特に、ベース体の厚さを倒立体の厚さより厚くした。
【００２６】
尚、ベース体を倒立体より重くしておけば、倒立体が起きている場合でも、引っ繰り返り難い。しかしながら、グリーン（芝生）上での安定性を考慮するならば、ベース体は重い方が好ましい。すなわち、例えば金属で出来ていることが好ましい。尚、金属とは言え、例えばＡｌ，Ｍｇ等の比重が小さな軽金属の場合には、それ程好ましいとは言えない。例えば、比重が２以上の金属で出来ていることが好ましい。
【発明の効果】
【００２７】
上記のように構成させてなる本発明のマーカーは、倒立体を起こして置いておけば、この倒立体が非常に目に付き易い。すなわち、使用に際しては、マーカーとしての本来の機能が最大限に発揮される。
【００２８】
しかも、本発明のマーカーは、倒立体を起こした状態でも、引っ繰り返り難い。すなわち、安定性に優れており、マーカーとして優れている。
【００２９】
又、使用しない場合には、倒立体を倒しておけば、本発明のマーカーは平面的（二次元的）構造のものであり、特許文献１，２，４の如きのマーカーに設けられているグリーン面に埋め込まれることになる軸が無いことから、持ち易い。例えば、ポケットに入れておくことも簡単であり、サンバイザーに付けた磁石によっても簡単に保持できる。
【００３０】
又、特許文献５の如きの出っ張った箇所が無いから、手にした際に、怪我する恐れも非常に小さい。又、ポケットに入れている場合、生地に引っ掛かることも起き難く、衣類を傷付けるような事故も起き難い。
【００３１】
そして、凹部が形成されたベース体または倒立体の該凹部の外側が欠かれて凹状に形成させておくと、凹部と凸部との嵌合に際して、当初から、該嵌合部の寸法精度を高くしておかずとも済むようになる。例えば、凹部の凹幅内寸法を凸部の凸幅外寸法よりも多少大きくしておけば、隙間が有るから、それだけ凸部を凹部に嵌め込む作業が容易になる。しかしながら、この両者の寸法関係が緩い（隙間が有る）と、倒立体を起こしても、倒立体を支えるものが無いから、倒立体は倒れ易い。これでは、マーカーとしての機能が奏されない。従って、凹部と凸部との寸法関係は多少キツメ(隙間が無いよう)にしておく必要が有る。すなわち、寸法関係をキツメにしていたならば、両者間の摩擦抵抗が大きいから、起こされた倒立体は、大きな摩擦抵抗によって支えられ、倒立体は倒れ難い。このように、凹部と凸部との寸法精度は、組立時には緩く、組立後にはキツイことが好ましい。そこで、上記のような形状にしておくと、組立後に、凹部の両側から力を加えれば、凹部の両側部分は内側に撓み、凹部と凸部との寸法精度は、組立時には緩くしていても、組立後にはキツクすることが可能になる。そして、組立時に寸法精度を緩くしておけば、組立が簡単になり、それだけ製造コストが低廉になる。
【発明を実施するための最良の形態】
【００３２】
図１〜図４は本発明になるゴルフボール用のマーカーの第１実施形態を示すもので、図１は倒立体が倒れた状態（平面的（二次元的）状態）での斜視図、図２は倒立体を開いた（起こした）状態での斜視図、図３はベース体の平面図、図４は倒立体の内面側の平面図（倒立体の下面図）である。
【００３３】
本発明のマーカーＭは、ベース体１と倒立体２とを有する。更に、ベース体１と倒立体２とを連結する連結機構を有する。
【００３４】
ベース体１は、例えば直径φが１５〜２５ｍｍ程度で、厚さが１．５〜２．５ｍｍ程度の円板である。そして、比重が２以上で、磁石によって吸着される金属、例えば鉄などの磁性金属で構成されたものである。円板状ベース体１には、その端部から切欠き、例えば幅２ｍｍで奥行き寸法が４ｍｍ程度の凹部３が形成されている。そして、凹部３の両側の位置4ａ，4ｂの箇所において、円板状ベース体１の端部から孔５が形成されている。尚、ベース体１の上面は鏡面に構成されている。
【００３５】
倒立体２は、例えば直径φが１５〜２５ｍｍ程度で、厚さが０．５〜１．２ｍｍ程度の円板である。そして、比重が２以上で、磁石によって吸着される金属、例えば鉄などの磁性金属で構成されたものである。尚、ベース体１とは、その厚さが薄いことが異なるのみで、大きさは殆ど同じである。勿論、ベース体１より大きさが多少小さくても良いが、大幅に大きいようなことは無い。すなわち、（倒立体２の重さ）／（ベース体１の重さ）＜１であるよう構成されている。特に、前記の値が０．６以下であるよう構成されている。下限値に格別の制約は無いが、０．０５程度が限界であろうと思われる。倒立体２には、その端部から倒立体の主面に対して飛び出した凸部６が設けられている。この凸部６は凹部３に嵌め込むことが出来る寸法である。例えば、凸部６の幅は１．９ｍｍで、奥行き（円板の動径方向）寸法が３．９ｍｍ程度である。凸部６の突出高さはベース体１の厚さである。勿論、突出高さは多少小さくても良いが、ベース体１の厚みより実質上も大きいと言ったことは無い。凸部６には、孔５に対応した孔７が設けられている。又、凸部６を凹部３に嵌め込んで倒立体２をベース体１に取り付けている状態において、倒立体２を９０°の角度で開いた場合、凸部６の頂面６ａの一部が凹部３の最奥端部３ａに当接し、それ以上、即ち、例えば１００°と言った角度は開かないように構成されている。或いは、凸部６を凹部３に嵌め込んで倒立体２をベース体１に取り付けている状態において、倒立体２を９０°の角度で開いた場合、倒立体２の内面の一部がベース体１の側面に当接し、それ以上、即ち、例えば１００°と言った角度は開かないように構成されている。即ち、最大開角度が９０°の開角度規制機構が設けられている。尚、倒立体２の下面（内面）は鏡面に構成されている。
【００３６】
そして、図示されていないが、孔５，７にピンが差し込まれ、倒立体２がベース体１に対して９０°の範囲内で開閉（回動）可能に連結されている。尚、ピンの大きさは孔７の大きさと余り変わらず、倒立体２の開角度（立角度：起角度）が３０°と言った途中にあっても、倒立体２はその状態が自然に維持されるように構成されている。
【００３７】
上記のように構成させたマーカーＭは、使用しない状況下にあっては、ポケットに入れられている。倒立体２をベース体１に重ねておけば、マーカーＭは二次元的、即ち、平板的なものであるから、邪魔にならない。かつ、飛び出している箇所は無いから、ポケットの生地に引っ掛かって、生地を傷付けることも無い。又、手で触っても、傷付けることは無い。又、磁石でサンバイザーに吸着・保持していても、ゴルフに邪魔にならない。従って、保持性に非常に優れている。
【００３８】
一方、グリーン上でのボール位置のマーキングに際しては、倒立体２を開いて（起こして）置くのみの簡単な作業で済む。そして、従来の如く、支柱部を設けておいて、これを埋め込むと言った面倒な手間を要さない。
【００３９】
さて、マーカーに埋込み支柱部を設けないことから、保持性や作業性に優れているものの、埋込み支柱部が無い分だけ、置いている場合の安定性に欠ける。例えば、引っ繰り返る恐れが高いものとなる。
【００４０】
そこで、上記においては、倒立体２の最大開角度を９０°であるよう構成させた。これによって、倒立体２を最大に開いた状態で置いていても、重心の安定性に優れており、引っ繰り返り難い。特に、芝生上では凸凹が当然であるから、場合によっては、非常に安定性が悪い。従って、安定性が悪い状況下での使用が当然に予期されるから、最大開角度が９０°、好ましくは８０°であるように構成しておくことは非常に好ましい。又、ベース体１の重さを倒立体２の重さよりも重くしてくことによって、倒立体２を起こした場合での安定性が高まる。例えば、倒立体２の厚さを薄くし、倒立体２の重さを軽くすることによって、マーカーＭの安定性が高まる。かつ、倒立体２の厚さを薄くしておけば、どちらがベース体１（倒立体２）であるかが判り易く、マーキングに際しても好都合である。すなわち、簡単に引っ繰り返るような形態でマーカーＭを置く恐れが大幅に無くなる。従って、このような観点からもマーク機能が大きく奏される。又、ベース体１の厚さを厚くしておけば、孔５が開け易い。一方、倒立体２の側に開けられる孔７は凸部６の箇所であるから、倒立体２の厚さが薄くても、凸部６の厚さが厚ければ、差し支えが無い。
【００４１】
又、倒立体２の表面（内面および／または外面）を鏡面に構成させているので、倒立体２が起こされている状態下にあっては、非常に目に付き易い。
【００４２】
尚、ベース体１は、比重が大きな磁性金属で構成されるのが好ましい。これに対して、倒立体２は、磁性金属で構成されなくても良い。例えば、樹脂で構成させても良い。更には、比重も小さなもので構成させても良い。
【００４３】
又、凹部３をベース体１に、かつ、凸部６を倒立体２に設けているが、凹部３を倒立体２に、かつ、凸部６をベース体１に設けるようにしても良い。
【００４４】
図５は、本発明になるゴルフボール用のマーカーの第２実施形態を示すもので、ベース体の平面図である。
【００４５】
本実施形態のマーカーと前記実施形態のマーカーとは、ベース体が異なるのみである。すなわち、図３と図５との対比からも判る通り、ベース体１に形成された凹部３の両側の位置4ａ，4ｂの箇所において、該位置4ａ，4ｂの一部が切り欠かれたものである。つまり、凹部３の箇所が、文字通り、凹状に形成されたものである。従って、凹部３の両側の位置4ａ，4ｂが幅狭な突出片（恰も、岬や半島の如きのもの）となっている。このことは、片状となった部分４ａ，４ｂが撓められ易いことを意味している。そして、このことは、図３と図５とを対比すれば一目瞭然である。
【００４６】
そして、上記のように構成させていると、マーカーとしての組立後にあっては、ベース体１における凹部３の凹幅寸法（内寸法）と倒立体２における凸部６の凸幅寸法（外寸法）とがキツメ（即ち、＝（≒））の関係でなければ、凹部３と凸部６との嵌合状態において倒立体２を起こしても嵌合部における摩擦抵抗が小さいから、直ちに倒れて元に戻ってしまうようになる。倒立体２を起こした時に倒立体２が立ったままでいれるのは、倒立体２とベース体１との接触部（嵌合部）における摩擦抵抗が大きい場合である。従って、マーカーとしての機能を奏することが出来るのは、倒立体２が立った状態を維持できることに尽きることから、摩擦抵抗を大きく、即ち、ベース体１における凹部３の凹幅寸法（内寸法）と倒立体２における凸部６の凸幅寸法（外寸法）とがキツメ（即ち、＝（≒））でなければならない。
【００４７】
しかしながら、ベース体１における凹部３の凹幅寸法（内寸法）と倒立体２における凸部６の凸幅寸法（外寸法）とがキツメであると、これは組み立てるのが非常に困難である。特に、ピンが挿通されるように孔５と孔７とが狂い無く合致しているよう組み立てるのは、非常に大変である。この作業性を良くする為には、組立初期にあっては、ベース体１における凹部３の凹幅寸法（内寸法）が倒立体２における凸部６の凸幅寸法（外寸法）より多少大きめであることが好ましい。そして、このようにしておけば、孔５と孔７とが合致するように嵌合させるのは容易である。
【００４８】
そこで、組立初期、即ち、ベース体１や倒立体２のプレス加工時にあっては、ベース体１における凹部３の凹幅寸法（内寸法）が倒立体２における凸部６の凸幅寸法（外寸法）より多少大きめであるようにベース体１や倒立体２を形成した後、これを組み合わせ、そしてピンを通した後、凹部３の両側の岬や半島の如きの幅狭な突出片４ａ，４ｂを内側に撓めれば、即ち、ベース体１における凹部３の凹幅寸法（内寸法）と倒立体２における凸部６の凸幅寸法（外寸法）とをキツメにしてやれば、両者間の摩擦抵抗は大きくなり、倒立体２を起こした時に倒立体２が立ったままでいれるようになる。
【００４９】
従って、本実施形態の如きの形状、即ち、凹部３が形成されたベース体１（又は倒立体２）の該凹部３の外側を欠いて凹状に形成させておと、マーカー組立コストが低廉なものとなり、かつ、マーカー組立後にあってはマーカーとしての機能が十分に発揮されるものとなる。
【００５０】
尚、８は、ベース体１の倒立体２対向面に形成された凹部である。この凹部８には、例えば所有者の写真などが貼られるようになる。そして、ベース体１は倒立体２よりも厚さを厚くしているので凹部８を形成し易い。
【図面の簡単な説明】
【００５１】
【図１】倒立体が倒れた状態での斜視図
【図２】倒立体が起こされた状態での斜視図
【図３】ベース体の平面図
【図４】倒立体の内面図
【図５】第２実施形態におけるベース体の平面図
【図６】従来のマーカーの説明図
【図７】従来のマーカーの説明図
【図８】従来のマーカーの説明図
【図９】従来のマーカーの説明図
【符号の説明】
【００５２】
Ｍ            マーカー
１            ベース体
２            倒立体
３            凹部
５            孔
６            凸部
７            孔
代  理  人  宇  高  克  己
【図１】
2007021182.tif 000003
【図２】
2007021182.tif 000004
【図３】
2007021182.tif 000005
【図４】
2007021182.tif 000006
【図５】
2007021182.tif 000007
【図６】
2007021182.tif 000008
【図７】
2007021182.tif 000009
【図８】
2007021182.tif 000010
【図９】
2007021182.tif 000011